(57)【特許請求の範囲】
【請求項１】
機能の異なる複数のパネル体を前後方向に重複配置して組み立てるようにした遊技機において、前記複数のパネル体から選択された当該一のパネル体が当該一のパネル体の後方に隣接配置された後方パネル体に形成された載置部上に載置された状態で固定手段によって固着されるとともに、当該一のパネル体の前方に隣接配置された前方パネル体が当該一のパネル体に対して開放された状態にあって、なおかつ前記固定手段から選択された少なくとも１の固定手段（以下、選択固定手段とする）の固定作用が解除されている場合には、前記前方パネル体を当該一のパネル体に対して相対的に閉塞させることに伴って前記前方パネル体側の干渉部材を前記選択固定手段に干渉させて前記選択固定手段の固定作用を有効とするようにしたことを特徴とする遊技機。
【発明の詳細な説明】
【技術分野】
【０００１】
本発明は、機能の異なる複数のパネル体を前後方向に重複配置して組み立てるようにした遊技機に関するものである。
【背景技術】
【０００２】
従来から例えばパチンコ遊技機やスロットマシンのような遊技機では機能の異なる複数のパネル体を前後方向に重複配置して組み立てるようにしている。このような遊技機の一例として特許文献１のパチンコ遊技機を示す。特許文献１ではその図１２に示すように外枠１１に対して遊技機本体１２を開閉可能に取り付け、この遊技機本体１２の前後に前扉枠１３、遊技盤３０、制御基板ユニット２０１〜２０３を重複状に配置させている。そして、これらのパネル体同士の連結は回転式の係止固定具やナイラッチ（登録商標）と呼称される押し込み式の固定ピン等の固定手段によって行われている。
例えば遊技盤３０は同文献１の図１４に示すように周縁に散点的に配設された複数の係止固定具２１１，２１２によって遊技機本体１２に対して固定（係合）されており、遊技機本体１２側の棚部分に載置された状態で後方に脱落しないように保持されている。
【先行技術文献】
【特許文献】
【０００３】
【特許文献１】特開２００５−４１５号公報
【特許文献２】特開２００２−３３６５０２号公報
【発明の概要】
【発明が解決しようとする課題】
【０００４】
ところが、このような係止固定具２１１，２１２は複数設けられているためにすべてが完全に機能していなくとも遊技盤３０が脱落してしまうことはない。そのため一部の係止固定具２１１，２１２について係合方向に回動操作をするのを忘れたり、回動量が不十分で係合作用が発揮できなかったりしたままで組み立てられてしまうことがある。
この場合に上記のように遊技盤３０の脱落はないものの、遊技盤が遊技機本体１２にしっかりと押しつけられずに本来セットされるべき位置から若干ずれて遊技盤３０が遊技機本体１２対してわずかに傾いて載置されてしまう可能性があった。このような症状は潜在的に各種不具合の原因となると考えられ、特に問題となるのは遊技盤３０と遊技機本体１２の前面側の機構との協調性である。
遊技盤３０はその前面側にレールユニット５０を含む遊技面が配設されており、遊技機本体１２にセットされると遊技機本体１２の開口部から遊技面は前方側に露出されレールユニット５０は遊技機本体１２側に突出されることとなる。そして、レールユニット５０の外レール５２は遊技機本体１２の発射機構から斜め上方に発射されるパチンコ球を受け止める機能を有するため、遊技盤３０のわずかな傾きがパチンコ球のレール部材の滑走の妨げとなる場合があるからである。
【０００５】
このような不具合は例えば特許文献１では図１４に図示された係止固定具２１２が非固定状態（係合解除）となった場合に特に生じやすい。つまり、ちょうどこの係止固定具２１２周辺が遊技盤３０の前面に配置された外レール５２の基部位置裏面に相当するからである。更に、この係止固定具２１２は特許文献１の図１１に示すように制御基板ユニット２０２によって係止固定具２１２が隠されてしまい、すべてのパネル体を汲み上げた段階では係止固定具２１２が背面側からは見えにくくなってしまう。そのため非固定状態となっていることが組み立て完了段階で確認しにくいことも不具合を発見しにくい一因となっていた。このような不具合は遊技機が複数のパネルを組み合わせて構成するために生じるものである。そのためある一のパネル体の固定をし忘れてもそれを原因とした不具合が生じにくくなるような工夫がこの種の遊技機で求められていた。
ところで、特許文献１では遊技盤３０は遊技機本体１２に対して後方側から装着保持するように構成されていたが、特許文献２のパチンコ機のように例えばその図１に示すように遊技盤２０を機枠２０に対して前方側から装着保持するような遊技機も存在する。このような構成の遊技機においても、遊技盤２０のわずかな傾きがパチンコ球のレール部材の滑走の妨げとなる点については特許文献１と同様である。従って、特許文献２のような前方側から遊技盤を装着保持させる遊技機においても特許文献１の遊技機と同様の問題が生じていた。
本発明は、このような従来の技術に存在する問題点に着目してなされたものである。その目的とするところは、ある一のパネル体の固定をし忘れてもそれを原因とした不具合が生じにくい遊技機を提供するものである。
【課題を解決するための手段】
【０００６】
上記の目的を達成するために請求項１の発明では、機能の異なる複数のパネル体を前後方向に重複配置して組み立てるようにした遊技機において、前記複数のパネル体から選択された当該一のパネル体が当該一のパネル体の後方に隣接配置された後方パネル体に形成された載置部上に載置された状態で固定手段によって固着されるとともに、当該一のパネル体の前方に隣接配置された前方パネル体が当該一のパネル体に対して開放された状態にあって、なおかつ前記固定手段から選択された少なくとも１の固定手段（以下、選択固定手段とする）の固定作用が解除されている場合には、前記前方パネル体を当該一のパネル体に対して相対的に閉塞させることに伴って前記前方パネル体側の干渉部材を前記選択固定手段に干渉させて前記選択固定手段の固定作用を有効とするようにしたことをその要旨とする。
【０００７】
上記の構成は次のようなケースを想定している。つまり一のパネル体を後方パネル体に対して固定手段によって固着させる場合に、作業者が一部の固定手段を機能させるのを忘れてしまう場合がありうる。この一部の固定手段を選択固定手段とすると、選択固定手段が機能していない状態で一のパネル体が前方パネル体に対して固定されている状態となってしまっている。
このような場合でも本請求項１の発明では前方パネル体を当該一のパネル体に対して相対的に閉塞させるようにすれば自然に前方パネル体側の干渉部材が選択固定手段に干渉してこれを作動させて選択固定手段の固定作用が有効とされることとなる。つまり、選択固定手段を機能させるのを忘れていても前方パネル体を閉塞した段階で選択固定手段は前方パネル体側の干渉部材によって作動させられて当該一のパネル体を後方パネル体に対して固定するという機能を発揮できることとなる。
ここに「後方パネル体」とは相対的に一のパネル体に対して後方（遊技者から見た奥側）に配置されるパネル体をいい、「前方パネル体」とは相対的に一のパネル体に対して前方（遊技者側）に配置されるパネル体をいう。
【発明の効果】
【００１３】
上記の発明では、一のパネル体の選択固定手段の固定をし忘れても前方パネル体の干渉部材によって選択固定手段が機能することになるため、選択固定手段が機能しないことに基づく一のパネル体の後方パネル体への固定作用に不具合が生じることがなくなる。
【図面の簡単な説明】
【００１４】
【図１】本発明を応用した実施の形態のパチンコ遊技機の正面図。
【図２】同じパチンコ遊技機の背面図。
【図３】同じパチンコ遊技機の分解斜視図。
【図４】同じパチンコ遊技機の前面扉の背面斜視図。
【図５】同じパチンコ遊技機の遊技機本体の前面斜視図。
【図６】同じパチンコ遊技機における遊技盤の正面図。
【図７】同じパチンコ遊技機において前面扉を開放した状態の上部切り欠き正面図。
【図８】同じパチンコ遊技機において前面扉を開放した状態を破線で示した平面図。
【図９】（ａ）は干渉プレートの斜視図、（ｂ）は同じく平面図、（ｃ）は扉枠あるいは上部バイパス通路に装着された状態の干渉プレート付近の部分断面側面図。
【図１０】スライド式固定ユニット周辺を説明する分解斜視図。
【図１１】スライド式固定ユニットの動作を説明する図であって（ａ）は作動状態、（ｂ）は干渉プレートを押し下げた（あるいは上動する瞬間）状態、（ｃ）はスタンバイ状態。
【図１２】（ａ）は作業者が遊技盤を遊技機本体の棚部に設置し、スライド式固定ユニットのレバーを操作している説明図、（ｂ）は操作によってスライド式固定ユニットが作動した状態を説明する説明図。
【図１３】（ａ）は遊技盤を遊技機本体の棚部に設置したもののスライド式固定ユニットが作動していない状態を説明する断面図、（ｂ）は遊技盤を遊技機本体の棚部に設置し、スライド式固定ユニットが作動した状態を説明する断面図。
【図１４】（ａ）はスタンバイ状態にあるスライド式固定ユニットのレバー近傍に干渉プレートが配置されている状態の平面図、（ｂ）は干渉プレートがレバーに干渉してスライド式固定ユニットが作動した状態の平面図。
【発明を実施するための形態】
【００１５】
以下、本発明の各実施の形態について図面に基づいて説明する。
図１〜図３に示すように、パチンコ遊技機１１は支持枠体かつパネル体としての外枠１２を備えている。外枠１２は、遊技ホールへの設置の際にいわゆる島設備に取り付けられる。外枠１２は上下左右の各枠板１２ａ〜１２ｄによって四角形に枠組みされた木製の枠体とされている。下部枠板１２ｄ上面には幕板１３が配設されている。
外枠１２内には遊技機本体１４が装着されている。後方パネル体としての遊技機本体１４はパチンコ遊技機の構造的な中核を形成する正面視において長方形形状をなすパネル状の構成部材であって、外枠１２内において幕板１３上に配置されている。図１〜図３及び図５に示すように、遊技機本体１４は正面視において略長方形の外郭を備えたＡＢＳ製のパネルとされている。遊技機本体１４は正面から見て左方寄りにおいて上下に配設された開閉金具１５ａを有し、外枠１２側の開閉金具１５ｂに軸支されて開閉軸線Ｐ（図３参照）を軸心として前方側に開放可能とされている。図３に示すように、遊技機本体１４は開閉軸線Ｐ側とは逆側の側縁に上下方向に間隔を開けて２箇所にラッチ機構Ｌ１が配設されている。ラッチ機構Ｌ１は遊技機本体１４が外枠１２に対して閉塞された際に外枠１２側の挿入溝Ｄ１に挿入されて係合しロック状態とされる。ロック状態の解除（つまり遊技機本体１４の外枠１２に対する開放）は遊技機本体１４前面のキー装置Ｋ（図７参照）のキー操作によって行われる。
【００１６】
図３、図５及び図７に示すように、遊技機本体１４の下部領域には遊技機本体側機構部１６が形成されている。遊技機本体側機構部１６を正面から見て右方には遊技球発射機構としての遊技球発射ユニット１７が配設されている。遊技球発射ユニット１７はソレノイド等から構成された発射部１８と、発射部１８にパチンコ球を順に供給する送球部１９及び補助レール２０から構成されている。遊技機本体側機構部１６の正面から見て左方には上部パチンコ球流入路２１と下部パチンコ球流入路２２がそれぞれ配設されている。両パチンコ球流入路２１，２２間にはバイパス通路２３が形成されている。下部パチンコ球流入路２２の上方にはファール球通路２４が形成されている。バイパス通路２３及びファール球通路２４はユニット化されている。
【００１７】
遊技機本体側機構部１６の上方には遊技盤取り付けスペース２５が形成されている。遊技盤２７は同スペース２５内に配設される。同スペース２５は遊技機本体１４の外郭を構成する要素の一部である左右の縦フレーム１４ａ、上部の横フレーム１４ｂ及び遊技盤２７が載置される載置部としての棚部２８によって包囲された領域である。棚部２８は左右方向に延びる水平面として構成され遊技盤２７の厚み（前後巾）に対応した巾に構成されている。同スペース２５は収容される遊技盤２７の厚みに対応した前後方向厚みを有し、遊技盤２７は同スペース２５内に前方側よりはめ込まれる。
縦フレーム１４ａ、横フレーム１４ｂ及び棚部２８の後方寄りには遊技盤２７を後方から支える後板部２９が形成されている。後板部２９は遊技機本体１４の背部において遊技盤取り付けスペース２５を取り巻くようにバリ状に形成された薄板であって遊技盤取り付けスペース２５内に遊技盤２７が配置された状態でその背面が後板部２９に当接して密着させられることとなる。後板部２９の内側は大きく開口した開口部３０とされている。左右の縦フレーム１４ａの前方寄り上下２箇所には側部回転固定具３１が配設されている。図５に示すように、回転固定具３１は回動軸となる木ねじ３２によって回転可能に装着されている。回転固定具３１は遊技盤２７の遊技盤取り付けスペース２５内へのはめ込みに邪魔にならない破線で示す退避位置と同スペース２５内へ遊技盤２７をはめ込んだ後に遊技盤２７を後板部２９方向に押し付ける実線で示す押圧固定位置とを取りうる。
遊技機本体側機構部１６の送球部１９に隣接した位置と上部パチンコ球流入路２１に隣接した位置にはそれぞれ選択固定手段としてのスライド式固定ユニット３３が配設されている。
【００１８】
ここで、図３、図５、図７、図１０〜図１４に基づいてスライド式固定ユニット３３及びその周辺の構造について詳細に説明する。遊技機本体側機構部１６の前面を構成する板面１２０には送球部１９に隣接した位置と上部パチンコ球流入路２１に隣接した位置にそれぞれ収容部としての凹部１２１が形成されている。凹部１２１を構成する上部寄り左右両側面は上方ほど幅狭のテーパ面１２１ａとされている。凹部１２１内には係合片としての係合プレート１２２が配設されている。係合プレート１２２は凹部１２１内にちょうど収まる厚みに構成され、上方寄りほど幅狭となるように傾斜した左右傾斜面１２２ａを備えている。図１２（ａ）及び（ｂ）に示すように、凹部１２１内において係合プレート１２２が上動すると係合プレート１２２の上半身が棚部２８上に露出させられるとともに左右傾斜面１２２ａがちょうどテーパ面１２１ａに当接して係合プレート１２２の上方への抜け出しが防止されることとなる。
係合プレート１２２の裏面側上部位置には上方寄りほど板厚が薄くなるような斜状の押圧面１２２ｂが形成されている。係合プレート１２２の底面１２２ｃには下方に突出する一本の支持脚１２３が一体的に形成されている。係合プレート１２２は支持手段としての支持脚１２３によって支持されて凹部１２１内で立設されている。支持脚１２３下端は球面形状とされ凹部１２１内の底面１２１ｂに対し滑らかに点接触させられる。
【００１９】
係合プレート１２２の前面（遊技者側からみると裏面側）には解除手段及び係留手段としてのレバー１２４が植設されている。係合プレート１２２の底面１２２ｃと凹部１２１内の底面１２１ｂとの間には付勢手段としての板バネ１２５が配設されている。板バネ１２５は下端側においてビス１２６にて固定され、大きく湾曲されて上端側にて支持脚１２３に挿通されている。その結果係合プレート１２２は板バネ１２５の付勢力によって凹部１２１内で常時上方側に押圧される。
凹部１２１の前面は蓋１２７によって封塞されている。蓋１２７はビス１２８によって固定されている。蓋１２７が装着された状態で凹部１２１の上方に係合プレート１２２が突出する開口部１３０が形成されることとなる。
蓋１２７の中央位置には係留手段としての略Ｌ字状の溝１２９が形成されている。溝１２９内にはレバー１２４が嵌挿されており、レバー１２４は溝１０９に沿って移動することとなる。溝１０９はレバー１２４を上下に案内する案内溝部１２９ａと、レバー１２４が係合されて上方への移動が阻止される係合溝部１２９ｂから構成されている。スライド式固定ユニット３３はこれら凹部１２１、係合プレート１２２、板バネ１２５、蓋１０７等によって構成されている。係合プレート１２２は遊技機本体側機構部１６の前面に周囲の機構部分と干渉することなく埋設されることとなる。
【００２０】
図６に示すように、パネル体をなす遊技盤２７には前面の遊技面２７ａから裏面に貫通する大小複数の開口部が形成され、各開口部にはそれぞれ目的に応じた各種装飾パネルが併設されている。木製の遊技盤２７の外郭は配線等の関係から部分的にカットされた変形正方形形状とされている。遊技盤２７の遊技面２７ａは平面に構成され、遊技面２７ａに対して棚部２８と接する遊技盤２７の底面２７ｂは直交する平面に構成され、遊技盤２７の背面２７ｃは遊技面２７ａに対して平行な平面として構成される。図６及び図１０に示すように、遊技面２７ａの下方位置であって遊技盤２７の底面２７ｂに隣接する２箇所には前下がりのテーパ面３４が形成されている。
遊技盤２７は遊技盤取り付けスペース２５内に配置された状態（棚部２８に載置されて遊技盤取り付けスペース２５内にはめ込まれた状態）で前方側から４つの回転固定具３１及びスライド式固定ユニット３３の係合プレート１２２が作用した状態（つまり係合した状態）で後板部２９に密着させられる。
遊技盤２７の略中央には可変表示ユニット３５が配設されている。可変表示ユニット３５は大型の液晶ディスプレイ３６を備えている。図８に示すように可変表示ユニット３５は遊技盤２７背面に配置される表示制御装置３７を備えている。可変表示ユニット３５の直下には始動口３８が配置されており、さらにその下方にいわゆる大入賞口と呼称される可変入賞装置３９が配置されている。可変表示ユニット３５の左右両側にスルーゲート４０が配置され、始動口３８の左右両側方向には一般入賞口４１がそれぞれ複数配置されている。遊技盤２７の最下部位置にはアウト口４２が設けられており、各種入賞口等に入らなかったパチンコ球はアウト口４２を通って図示しない球排出路の方へと案内されるようになっている。遊技盤２７の表面には、パチンコ球の落下方向を適宜分散、調整等するために多数の遊技釘４４が植設されている。また、風車４３等の各種部材（役物）が配設されている。
【００２１】
遊技盤２７の遊技面２７ａ上には、レール部材としての外レール５１と内レール５２が装着されている。遊技盤２７が遊技機本体１４の遊技盤取り付けスペース２５に配設された状態で両レール５１，５２によって遊技面２７ａに遊技領域が画定されている。
図８に示すように、外レール５１は前記遊技球発射ユニット１７の補助レール２０の正面から見て左斜め上方であって、同補助レール２０の延長方向にファール球通路２４上方の空間を隔てた位置にその基端が配置されている。外レール５１は基端から時計回り方向に円弧状に上方に延出され遊技面２７ａの頂点から若干進んだ位置（遊技面２７ａを時計のダイヤルと見立てた場合の略２時方向位置）にその先端が配置されている。
【００２２】
内レール５２は遊技面２７ａを時計のダイヤルと見立てた場合の略４時方向に基端が配置されている。内レール５２は基端から時計回り方向に円弧状に下方に延出され、前記アウト口４２前面を略水平に横切った後、外レール５１の内周側を上方に向かって延出され、遊技面２７ａの頂点の手前位置（遊技面２７ａを時計のダイヤルと見立てた場合の略１０時方向位置）にその先端が配置されている。内レール５２の先端には遊技面２７ａに打ち出されたパチンコ球の逆進を防止するための片持ちの舌片が形成された逆進防止部材５５が装着されている。円弧状の内レール５２の最下方位置はアウト口４２と交差する位置とされている。両レール５１，５２は正面から見てアウト口４２の左方位置から逆進防止部材５５位置（つまり内レール５２の先端）にかけて隣接して配置されパチンコ球発射通路４９が形成されている。
外レール５１及び内レール５２は帯状の同幅に形成されたステンレス製薄板条体から構成されている。両レール５１，５２は遊技面２７ａに対して前方に向かって略垂直に立設されている。
【００２３】
パチンコ球は遊技球発射ユニット１７によって打ち出されると補助レール２０を滑走した後、外レール５１に乗り移り外レール５１を更に滑走しながら外レール５１と内レール５２との間のパチンコ球発射通路４９を上方に向かって進み遊技面２７ａに飛び出す。この時、遊技球発射ユニット１７による打ち出し力が弱く補助レール２０から外レール５１に乗り移ることができなかったり、外レール５１に乗り移っても遊技領域まで至らなかったパチンコ球は落下してファール球通路２４に導かれる。
遊技領域に放出されたパチンコ球は落下しながら遊技釘４４、装飾パネルあるいは各種役物等と干渉して弾かれながら降下し、途中始動口３８、可変入賞装置３９及び一般入賞口４１に入賞する球以外はすべて内レール５２上に落下し、同内レール５２を伝わって最下部位置のアウト口４２に導かれる。入賞した入賞球及びアウト口４２に導かれたアウト球は図示しない排出通路を経て機外に一旦放出される。
【００２４】
次に遊技盤２７の背面構成について図２及び図３に基づいて説明する。
可変表示ユニット３５の背面側には表示制御装置６２と主制御装置６３が配設されている。表示制御装置６２は液晶ディスプレイ３６等の表示装置全般の制御を司る。主制御装置６３は全体の制御を司るメインＣＰＵ、遊技プログラムを記憶したＲＯＭ、遊技の進行状況に応じて必要なデータを記憶するＲＡＭ、音声や表示ランプ等の制御を行うサブＣＰＵ、クロックパルス発生回路、各種ポート等から構成されている。表示制御装置６２及び主制御装置６３は着脱可能である。
【００２５】
図１に示すように、遊技機本体１４の前面にはパネル体としての前面扉８１が配設されている。図３及び図４に示すように、前面扉８１はプレス成形された合金製の扉枠８２に対してＡＢＳ樹脂製の扉パネル８３を装着して構成される接合パネル体である。扉パネル８３が前面側に配置されて遊技者に目視されることとなる。図１及び図３に示すように、前面扉８１の外郭は遊技機本体１４の正面から見た外郭と略一致した長方形形状の外郭の正面形状を有している。前面扉８１は遊技機本体１４に対して開閉可能に取り付けられている。前面扉８１の扉枠８２には遊技機本体１４と同様前記開閉金具１５ａ，１５ｂの開閉軸線Ｐと同軸に開閉金具８４が取り付けられ、開閉金具８４を軸心として前方側に開放可能とされている。そのため、遊技機本体１４は外枠１２に対して開閉可能とされるとともに、前面扉８３は外枠１２と遊技機本体１４のそれぞれに対して独立して開閉可能とされている。
図４に示すように、扉枠８２には開閉軸線Ｐ側とは逆側の側縁に上下方向に間隔を開けて２箇所にラッチ機構Ｌ２が配設されている。ラッチ機構Ｌ２は前面扉８３が遊技機本体１４に対して閉塞された際に遊技機本体１４側の挿入溝Ｄ２（図５参照）に挿入されて係合しロック状態とされる。ロック状態の解除は遊技機本体１４背面側からの図示しない解除装置の操作によって行われる。
扉枠８２及び扉パネル８３には遊技者が遊技面２７ａを目視するための窓部としての円形の目視用窓孔８５，８６がそれぞれ形成されている。図１に示すように窓ガラス８７が扉枠８２側の目視用窓孔８５の背面側に配設されている。扉枠８２側の目視用窓孔８５の周囲は補強のためのリブ構造とされ、窓ガラス８７が目視用窓孔８５に沿って形成された取り付けリブ８８の後端面に対して取着されるようになっている。
扉枠８２の背面側であって目視用窓孔８５の下部領域には遊技機本体１４側から流入するパチンコ球を前面扉８１側に導く流入通路８９が配設されている。流入通路８９の側方には上部バイパス通路９０が配設されている。
図４に示すように、目視用窓孔８５の下部寄りであって、流入通路８９に隣接する位置及び上部バイパス通路９０の壁面上の２箇所には後方に向かって突起する干渉部材としての干渉プレート９１が配設されている。図９（ａ）〜（ｃ）に示すように、干渉プレート９１は平面形状において略三角形形状をなし、前記スライド式固定ユニット３３のレバー１２４と干渉する斜状の当接縁９１ａを備えている。図４及び図９（ｃ）に示すように、干渉プレート９１は基部プレート９１ｂを介して扉枠８２側の壁面に対してねじ９２によって固着されている。
【００２６】
扉パネル８３の前面側であって、目視用窓孔８５の左右及び上方には前方に膨出した装飾用パネル９３が配設されている。扉パネル８３裏面側には図示しないスピーカ装置や装飾ランプが所定位置に配設されている。目視用窓孔８６の下方位置には、前側へ膨出した上受け皿９４が形成されている。上受け皿９４は後述する払い出し装置１０６より払い出され、上部パチンコ球流入路２１から流入し、流入通路８９を介して供給されるパチンコ球を一旦貯留し、一列に整列させながら遊技球発射ユニット１７に導くための球貯留部である。
上受け皿９４の下方位置には、同じく前側へ膨出した下受け皿９５が形成されている。下受け皿９５内にはバイパス通路２３及びファール球通路２４からパチンコ球が流下する下部流出口９６が配設されている。下受け皿９５は上受け皿９４のパチンコ球の貯留量が多すぎる場合や遊技者の能動的な操作に基づいて上受け皿９４から流下させたパチンコ球を貯留するための補助的な球貯留部である。
装飾用パネル９３、上受け皿９４及び下受け皿９５周辺は全体としてデザイン的な統一が図られている。正面から見て下受け皿９５の左方には灰皿９７が配設されている。下受け皿９５の右方には遊技球発射ユニット１７と連動するパチンコ球打ち出し用ハンドル９８が前方に突出形成されている。
【００２７】
次に、遊技機本体１４の背面側に配設される後方パネル体としての機構盤１００及び払い出し等制御ユニット１０１の構成について図２及び図３に基づいて説明する。
機構盤１００及び払い出し等制御ユニット１０１は遊技機本体１４の軸受け部１２０に対して支持ピンによって回動可能かつ着脱可能に取着されている。機構盤１００及び払い出し等制御ユニット１０１は遊技機本体１４に対してナイラッチ１２２によって固着されるようになっている。機構盤１００は水平に延設されるとともにその一端から下垂する全体形状として鈎状をなすポリカーボネート製のフレーム１０２をベースとし、フレーム１０２に対して各種構成部品が固着されて構成されている。水平に延設されるフレーム部分を上部フレーム１０２ａとし、下垂するフレーム部分を側部フレーム１０２ｂとする。
機構盤１００の最上部位置であって上部フレーム１０２ａの背面にはタンク１０３が配設されている。タンク１０３には遊技ホールの島設備から新たなパチンコ球が供給される。タンク１０３の下部隣接位置にはタンクレール１０４が配設されている。タンクレール１０４の下流側（図２における右側）には側部フレーム１０２ｂの背面に沿って上下方向に延びるケースレール１０５が配設されている。ケースレール１０５の途中には払い出し装置１０６が配設されている。パチンコ球はタンクレール１０４からケースレール１０５に案内され、後述する払い出し制御装置１１０による払い出し装置１０６の制御に基づいて適宜払い出しされる。払い出し装置１０６の下部位置であってケースレール１０５と重複状に外部電源基板１０７が配設されている。外部電源基板１０７は変圧器を介して供給される電源を遊技機全体に供給するためのメイン基板とされる。
タンクレール１０４の下部位置でありケースレール１０５、払い出し装置１０７及び外部電源基板１０７の側方位置には表示制御装置６２のすべてと主制御装置６３の上方寄り部分を覆う保護カバー１０８が配設されている。
【００２８】
機構盤１００の下方の隣接位置に払い出し等制御ユニット１０１が配設されている。本実施例では払い出し等制御ユニット１０１は機構盤１００と別体に構成されるが一対に構成される場合もある。払い出し等制御ユニット１０１は基板ボックス１１０に格納された払い出し制御装置１１１、内部電源基板１１２及び発射制御装置１１３等から構成されている。払い出し制御装置１１１は賞球の払い出しの制御を司る。内部電源基板１１２は各種制御基板における所定の電源電圧の制御を行う。発射制御装置１１３は遊技者のハンドル９７操作に基づくパチンコ球の発射モードの制御を司る。
払い出し等制御ユニット１０９に隣接した側方位置（外部電源基板１０７の下方）には払い出し中継基板１１４が配設されている。払い出し中継基板１１４は払い出し制御装置１１１からの払い出し装置１０６への払い出し信号の出力を中継する役割を果たす。タンクレール１０４の側方（図２における右方）の上部フレーム１０４ａには外部端子接続基板１１５が配設されている。
【００２９】
次に、このように構成されたパチンコ遊技機１１における遊技盤２７、前面扉８１及び遊技機本体１４周辺の構成に基づく作用について説明する。
パチンコ遊技機１１を構成する各パネルを組み立てていく。すなわち外枠１２に対して遊技機本体１４を装着し、更に、遊技機本体１４の前後から遊技盤２７と機構盤１００及び払い出し等制御ユニット１０１を取り付け、最後に前面扉８１を取り付ける。
ここに遊技盤２７を遊技機本体１４の棚部２８に載置させる場合には、遊技盤２７を前面側から載置させるのであるが、スライド式固定ユニット３３の係合プレート３３が図１１（ａ）のように棚部２８から上方に突出した位置にある場合には、この突出した係合プレート１２２が邪魔となって載置させることができない。そのため、作業者はまず、突出状態の係合プレート１２２を図１１（ｂ）のようにレバー１２４が溝１２９の最下部位置に配置されるまで押し下げ、次いで押し下げられたレバー１２４を図１１（ｃ）のように係合溝部１２９ｂ方向に移動させる必要がある。つまり、係合プレート１２２が板バネ１２５の付勢力によって上動してしまわないように（戻らないように）レバー１２４先端をつまんで係合溝部１２９ｂに係合させるわけである。この状態ではレバー１２４の側面が係合溝部１２９ｂの縁に係合されるため係合プレート１２２は上動することはできず係合プレート１２２は棚部２８から上面には突出できない。この状態をスライド式固定ユニット３３のスタンバイ状態とする。凹部１２１内に配設された係合プレート１２２は横方向の移動に対して若干の余裕を持たせてあるためこのような横方向の係合プレート１２２の変位が可能となっている。
【００３０】
このようにスライド式固定ユニット３３を操作して遊技盤２７を遊技機本体１４の棚部２８に載置可能な状態（図５の状態）としてから改めて遊技盤２７を棚部２８に載置させ、その他の回転固定具３２によって遊技盤２７を遊技機本体１４に対して固定するものとする。
この際に、基本的にはスタンバイ状態のスライド式固定ユニット３３について図１２（ａ）のように作業者が能動的にレバー１２４を操作して係合溝部１２９ｂ位置から案内溝部１２９ａ方向に移動させる。すると図１２（ｂ）のように板バネ１２５の付勢力によって係合プレート１２２は上動する。遊技盤２７は上動する係合プレート１２２と干渉する位置に設置されており、係合プレート１２２の上動に伴ってその押圧面１２２ｂは遊技盤２７の前面下部位置に形成されているテーパ面３４に対して接触するようになる。押圧面１２２ｂ及びテーパ面３４は互いの斜状面で接触するため係合プレート１２２が上動すると遊技盤２７側に後方に対して押動する方向のベクトルが作用することとなる。つまり、係合プレート１２２は押圧面１２２ｂ及びテーパ面３４を介して遊技盤２７下方寄りを後方方向に押動することとなる。その結果、遊技盤２７は下方寄りでよりしっかりと後板部２９方向に密着させられることとなる。
【００３１】
しかし、作業者が能動的にレバー１２４を操作せずに前面扉８１を遊技盤２７及び遊技機本体１４に対して閉塞してしまう場合がある。その場合になんらの手段も講じなければ遊技盤２７を遊技機本体１４に固定するスライド式固定ユニット３３が機能しないため、遊技盤２７の後板部２９への押さえ込みが足らず、遊技盤２７は底面２７ｂが下方位置が棚部２８に密着せずに隙間Ｓ１が形成されてしまい背面２７ｃと後板部２９とも密着せず隙間Ｓ２が形成されてしまう場合が生じることがある。つまり遊技盤２７がわずかに後傾した状態（図１２（ａ）の状態）で遊技盤取り付けスペース２５内にはめ込まれてしまうこととなってしまう。
このように遊技盤２７が遊技盤取り付けスペース２５に正しく配置されないと、遊技盤２７前面側の、外レール５１が遊技機本体１４側の遊技球発射ユニット１７の補助レール２０とわずかにオフセットされて配置されてしまうこととなる。また外レール５１自体も若干前下がりに配置されてしまうこととなる。もし、遊技盤２７がこのような状態で配置されたとするとそのことが原因で打ち出されたパチンコ球が滑走面と必要以上に強い摩擦で接したり窓ガラス８６に衝突したり等本来の動きとは異なる挙動を示して遊技の支障を来してしまうこととなる。いわゆる「飛びむら」である。
【００３２】
しかし、本実施の形態では前面扉８１の扉枠８２の裏面に干渉プレート９１を備えており、この干渉プレート９１がレバー１２４と干渉して作業者の能動的操作に代わってスライド式固定ユニット３３の係合プレート１２２を上動させ得る。
より具体的には図８において破線で示す前面扉８１が開放された状態から実線で示す閉塞された状態となる際に、図１３（ａ）及び図１４（ａ）に示すように干渉プレート９１はレバー１２４に接近していく。そして、前面扉８１の接近に伴って干渉プレート９１の当接縁９１ａがレバー１２４に当接する。当接縁９１ａは斜状に構成されているため干渉プレート９１の進出に伴ってレバー１２４を側方、つまり係合溝部１２９ｂ内の退避位置から案内溝部１２９ａ方向に押動させる力が作用することとなる。その結果、図１３（ｂ）及び図１４（ｂ）に示すようにレバー１２４が案内溝部１２９ａに達すると係合溝部１２９ｂのレバー１２４に対する係留状態が解除されて係合プレート１２２は板バネ１２５の付勢力によって上動させられる。そして、上記説明と同様係合プレート１２２の上動に伴ってその押圧面１２２ｂは遊技盤２７前面に形成されているテーパ面３４に接触し、テーパ面３４を介して遊技盤２７下方寄りを後方方向に押動することとなる。つまり、遊技盤２７の底面２７ｂと棚部２８との間に隙間Ｓ１（遊技盤２７の背面２７ｃと後板部２９との間には隙間Ｓ２）が形成されていても前面扉８１を閉塞することに伴って遊技盤２７は後板部２９方向に押されて本来の位置に修正配置されることとなる。
【００３３】
以上のように構成することによって上記実施の形態では次のような効果を奏する。
（１）万一スライド式固定ユニット３３を遊技盤２７に係合させるのを忘れてしまって遊技盤２７の下方位置において底面２７ｂが棚部と密着せず、背面２７ｃが後板部２９に密着しないような場合であっても前面扉８１の閉塞に伴って干渉プレート９１を遊技機本体１４側のレバー１２４に干渉させてスライド式固定ユニット３３を作用させることができることとなっているため、係合プレート１２２によって遊技盤２７の下部側は押圧されて自動的に位置修正された遊技盤２７が本来の正しい配置位置である後板部２９に密着した位置に配置されることとなり遊技球発射ユニット１７から発射されたパチンコ球が「飛びむら」を起こして遊技に支障を来すという不具合が生じることがなくなる。
（２）遊技盤２７はスライド式固定ユニット３３がスタンバイ状態にないと係合プレート１２２が邪魔となって遊技機本体１４の棚部２８上に載置することができない。つまり遊技盤２７のセットのためには必ずスライド式固定ユニット３３をスタンバイ状態にさせることとなるためスライド式固定ユニット３３をスタンバイ状態にすることを忘れてしまうということがない。
（３）係合プレート１２２の上動に伴ってその押圧面１２２ｂは遊技盤２７前面に形成されているテーパ面３４に接触し、テーパ面３４を介して遊技盤２７下方寄りを後方に押動することとなる。これによって単に遊技盤２７は背後から支持するだけではなくよりしっかりと後板部２９方向に圧着させられることとなる。
（４）干渉部材である干渉プレート９１は前面扉８１の扉枠８２とは別体で形成されているため、損傷した場合でも干渉プレート９１のみを交換すればよくコスト性に優れている。
【００３４】
本発明は以下のような態様に変更して実施することが可能である。
・上記実施の形態ではスライド式固定ユニット３３は遊技盤２７の下部位置を後方に押圧するように左右方向に離間した２箇所に配設されていたが、３つ以上を配設するようにしても１つのみを配設するようにしてもよい。１つのみである場合には上記のようにアウト口４２に近い遊技盤２７の前面であって下部中央寄り付近が好ましい。
・上記実施の形態では前方パネル体として前面扉８１を採用したが、他の機能を有するパネル体に応用することも自由である。
・スライド式固定ユニット３３の係合プレート１２２はスライド式に進退するような構成であったが、回転式で進退する他の係合片を使用することも可能である。
・上記実施の形態では前方パネル体である前面扉８１は後方パネル体である遊技機本体１４に固着させるようにしていたが、前方パネル体は必ずしも後方パネル体に対して固着しなければならないものではない。
・固定手段としては回転式の機構以外に上記ラッチ機構Ｌ１，Ｌ２と挿入溝Ｄ１，Ｄ２のような挿入式の固定手段を使用することも可能である。
・干渉部材の形状は上記干渉プレート９１のような板状のものに限定されるものではない。
・干渉部材としての干渉プレート９１によってスタンバイ状態が解除される手段として上記実施の形態では係合溝部１２９ｂに配置されているレバー１２４が斜状の当接縁９１ａに押動されるように構成していたが、これに限定されるものではない。
・上記実施の形態のパチンコ遊技機１１以外の機種に応用することも自由である。またパチンコ遊技機以外のいわゆるパチロットに応用することも可能である。
その他、本発明の趣旨を逸脱しない態様で実施することは自由である。
【００３５】
上記請求項に適宜追加可能な上記実施の形態から把握できる本発明のその他の技術的思想について下記に付記として説明する。
（１）上記請求項又は付記において（請求項６の構成を含む場合）、選択固定手段は前記レール部材の下端寄り前面位置付近を固定すること。
遊技盤の下端寄りにレール部材の基部が配設されているため、この付近を固定することがもっとも遊技盤を密着させる場合の効果が大きくなるからである。
（２）上記請求項又は付記において、前記選択固定手段の係合片は前記前方パネル体の前面に埋設状に配設され、同係合片が進出すると同係合片の後面が前記一のパネル体の前部寄り位置に干渉すること。
つまり、選択固定手段が作動して係合片が進出しても単に一のパネル体を支持するだけでなく一のパネル体を後方に押圧することが可能となる。この場合に上記のように斜状の押圧面と案内面で両者が接することが好ましい。
【符号の説明】
【００３６】
１１…パチンコ遊技機、１４…後方パネル体としての遊技機本体、２７…一のパネル体としての遊技盤、３２…固定手段としての回転固定具、３３…選択固定手段としてのスライド式固定ユニット、８１…前方パネル体としての前面扉、９１…干渉部材としての干渉プレート、１２１…収納部としての凹部、１２２…係合片としての係合プレート、１２５…付勢手段としての板バネ、１２９ｂ…係留手段としての係合溝部、１２４…解除手段としてのレバー。
【図１】
0005574129.tif 000002
【図２】
0005574129.tif 000003
【図３】
0005574129.tif 000004
【図４】
0005574129.tif 000005
【図５】
0005574129.tif 000006
【図６】
0005574129.tif 000007
【図７】
0005574129.tif 000008
【図８】
0005574129.tif 000009
【図９】
0005574129.tif 000010
【図１０】
0005574129.tif 000011
【図１１】
0005574129.tif 000012
【図１２】
0005574129.tif 000013
【図１３】
0005574129.tif 000014
【図１４】
0005574129.tif 000015